(57)【要約】【課題】  本発明は、従来にない作用効果を発揮する画期的な物載置装置を提供することを目的とする。【解決手段】  物を載置する複数の物載置体１と、この物載置体１同志を連結するための連結体２とから成る物載置装置であって、一の物載置体１Ａの周縁には、第一連結孔４ａを有する第一連結部４が設けられ、一方、他の物載置体１Ｂの周縁には、前記第一連結部４と連結され、第二連結孔５ａを有する第二連結部５が設けられ、また、前記連結体２は、前記第一連結孔４ａ及び第二連結孔５ａに嵌入されるものである。【選択図】      図１
2005287828.tif 000002
【特許請求の範囲】
【請求項１】
物を載置する複数の物載置体と、この物載置体同志を連結するための連結体とから成る物載置装置であって、一の物載置体の周縁には、第一連結孔を有する第一連結部が設けられ、一方、他の物載置体の周縁には、前記第一連結部と連結され、第二連結孔を有する第二連結部が設けられ、また、前記連結体は、前記第一連結孔及び第二連結孔に嵌入されるものであることを特徴とする物載置装置。
【請求項２】
物を載置する複数の物載置体と、この物載置体同志を連結するための連結体とから成る物載置装置であって、一の物載置体の周縁には凹所が設けられ、この凹所には、第一連結孔を有する第一連結部が設けられ、一方、他の物載置体の周縁には、前記凹所に嵌合して前記第一連結部に重合され、第二連結孔を有する第二連結部が該周縁から突出する状態で設けられ、また、前記連結体は、前記第一連結孔及び第二連結孔に嵌入されるものであることを特徴とする物載置装置。
【請求項３】
物を載置する複数の物載置体と、この物載置体同志を連結するための連結体とから成る物載置装置であって、一の物載置体の周縁には第一凹所が設けられ、この第一凹所には、第一連結孔を有し後記第二凹所に嵌合する第一連結部が該周縁から突出する状態で設けられ、一方、他の物載置体の周縁には第二凹所が設けられ、この第二凹所には、前記第一凹所に設けられる第一連結部に重合され、第二連結孔を有する第二連結部が該周縁から突出する状態で設けられ、また、前記連結体は、前記第一連結孔及び第二連結孔に嵌入されるものであることを特徴とする物載置装置。
【請求項４】
請求項３記載の物載置装置において、前記第一凹所及び第二凹所が合致して筒状中空部が形成される構成であり、また、第一連結部及び第二連結部は重合して前記筒状中空部に収納される構成であることを特徴とする物載置装置。
【請求項５】
請求項４記載の物載置装置において、物載置体は平面視方形状であり、第一凹所及び第二凹所は物載置体の辺部に設けられていることを特徴とする物載置装置。
【請求項６】
請求項３記載の物載置装置において、第一凹所及び第二凹所は合致して半筒状中空部が形成される構成であり、また、第一連結部及び第二連結部は重合して前記半筒状中空部に収納される構成であることを特徴とする物載置装置。
【請求項７】
請求項６記載の物載置装置において、物載置体は平面視方形状であり、第一凹所及び第二凹所は物載置体の角部に設けられていることを特徴とする物載置装置。
【請求項８】
請求項１〜７いずれか１項に記載の物載置装置において、前記連結体はピン体であることを特徴とする物載置装置。
【請求項９】
請求項１〜８いずれか１項に記載の物載置装置において、前記物載置体は下部に移動手段を有するものであることを特徴とする物載置装置。
【発明の詳細な説明】
【技術分野】
【０００１】
本発明は、物載置装置に関するものである。
【背景技術】
【０００２】
従来から、医療現場で使用されるワゴンが提案されている。
【０００３】
このワゴンは、物を載置する物載置板と、この物載置板を水平保持し、下部にキャスターを有する脚杆とから成る構成であり、手術や検査などの医療行為を行う際、各種医療器具を載置するものとして使用されている。
【発明の開示】
【発明が解決しようとする課題】
【０００４】
ところで、実際の医療現場では、その都度作業形態の異なる様々な医療行為が行われており、その医療行為に合った様々な大きさ・形状の物載置板を有するワゴンが欲しいという要求がある。例えばメスや注射器などの小型の医療器具が使用される場合から、カテーテルなどの大型（長物）の医療器具が使用される場合など様々である。
【０００５】
ところが、実際には、この物載置板が大きいとかえって邪魔になる場合もあり、その他にも、大きな物載置板を有するワゴンを常時保管しておくだけのスペースは無いなどの理由から、結局、小型の物載置板を有するワゴンで各種医療行為が行われているのが現状であり、極めて不便である。
【０００６】
本出願人は、上述した問題点に鑑み、従来にない作用効果を発揮する画期的な物載置装置を開発した。
【課題を解決するための手段】
【０００７】
添付図面を参照して本発明の要旨を説明する。
【０００８】
物を載置する複数の物載置体１と、この物載置体１同志を連結するための連結体２とから成る物載置装置であって、一の物載置体１Ａの周縁には、第一連結孔４ａを有する第一連結部４が設けられ、一方、他の物載置体１Ｂの周縁には、前記第一連結部４と連結され、第二連結孔５ａを有する第二連結部５が設けられ、また、前記連結体２は、前記第一連結孔４ａ及び第二連結孔５ａに嵌入されるものであることを特徴とする物載置装置に係るものである。
【０００９】
また、物を載置する複数の物載置体１と、この物載置体１同志を連結するための連結体２とから成る物載置装置であって、一の物載置体１Ａの周縁には凹所３が設けられ、この凹所３には、第一連結孔４ａを有する第一連結部４が設けられ、一方、他の物載置体１Ｂの周縁には、前記凹所３に嵌合して前記第一連結部４に重合され、第二連結孔５ａを有する第二連結部５が該周縁から突出する状態で設けられ、また、前記連結体２は、前記第一連結孔４ａ及び第二連結孔５ａに嵌入されるものであることを特徴とする物載置装置に係るものである。
【００１０】
また、物を載置する複数の物載置体１と、この物載置体１同志を連結するための連結体２とから成る物載置装置であって、一の物載置体１Ａの周縁には第一凹所３Ａが設けられ、この第一凹所３Ａには、第一連結孔４ａを有し後記第二凹所３Ｂに嵌合する第一連結部４が該周縁から突出する状態で設けられ、一方、他の物載置体１Ｂの周縁には第二凹所３Ｂが設けられ、この第二凹所３Ｂには、前記第一凹所３Ａに設けられる第一連結部４に重合され、第二連結孔５ａを有する第二連結部５が該周縁から突出する状態で設けられ、また、前記連結体２は、前記第一連結孔４ａ及び第二連結孔５ａに嵌入されるものであることを特徴とする物載置装置に係るものである。
【００１１】
また、請求項３記載の物載置装置において、前記第一凹所３Ａ及び第二凹所３Ｂが合致して筒状中空部が形成される構成であり、また、第一連結部４及び第二連結部５は重合して前記筒状中空部に収納される構成であることを特徴とする物載置装置に係るものである。
【００１２】
また、請求項４記載の物載置装置において、物載置体１は平面視方形状であり、第一凹所３Ａ及び第二凹所３Ｂは物載置体１の辺部に設けられていることを特徴とする物載置装置に係るものである。
【００１３】
また、請求項３記載の物載置装置において、第一凹所３Ａ及び第二凹所３Ｂは合致して半筒状中空部が形成される構成であり、また、第一連結部４及び第二連結部５は重合して前記半筒状中空部に収納される構成であることを特徴とする物載置装置に係るものである。
【００１４】
また、請求項６記載の物載置装置において、物載置体１は平面視方形状であり、第一凹所３Ａ及び第二凹所３Ｂは物載置体１の角部に設けられていることを特徴とする物載置装置に係るものである。
【００１５】
また、請求項１〜７いずれか１項に記載の物載置装置において、前記連結体２はピン体であることを特徴とする物載置装置に係るものである。
【００１６】
また、請求項１〜８いずれか１項に記載の物載置装置において、前記物載置体１は下部に移動手段を有するものであることを特徴とする物載置装置に係るものである。
【発明の効果】
【００１７】
本発明は上述のように構成したから、非常に便利で使い勝手が良いなど従来にない作用効果を発揮する画期的な物載置装置となる。
【発明を実施するための最良の形態】
【００１８】
好適と考える本発明の実施形態を、図面に基づいて本発明の作用を示して簡単に説明する。
【００１９】
本発明は、複数の物載置体１同志を連結体２により連結する。
【００２０】
具体的には、一の物載置体１Ａの周縁に設けられる第一連結部４と、他の物載置体１Ｂの周縁に設けられる第二連結部５とを連結し、この第一連結部４の第一連結孔４ａ及び第二連結部５の第二連結孔５ａに連結体２を嵌入して、複数の物載置体１同志を連結する。
【００２１】
従って、この物載置体１は、単体で使用することができるのは勿論、この複数の物載置体１同志を連結することで使用目的に合わせた大きさの物を載置する部位を簡易且つ確実に形成することができ、しかも、この一の物載置体１Ａの周縁に設けられる第一連結部４及び他の物載置体１Ｂの周縁に設けられる第二連結部５夫々を設ける位置を適宜設定することで、例えば物載置体１同志を縦方向に長くなるように連結したり、平面方向から見てＬ型となるように連結したりすることができるなど、例えば医療現場で行われる各種医療行為に対応した良好な状態が得られることになる。
【実施例】
【００２２】
本発明の具体的な実施例について図面に基づいて説明する。
【００２３】
本実施例は、物を載置する複数の物載置体１と、この物載置体１同志を連結するための連結体２とから成るものである。
【００２４】
具体的には、各物載置体１は、全て同一構造のもので、図１に図示したように平面視長方形状の板状体であり、その下面四隅には４本の棒材から成る脚杆７が垂設されるワゴンとして構成されている。符号９は補助板である。
【００２５】
また、各脚杆７の下部には移動手段としてのキャスター８が設けられており、従って、物載置体１は移動自在となる。
【００２６】
また、物載置体１は、図１に図示したようにその上面の前後左右位置に柵体10が設けられており、この柵体10は棒材をコ字状に形成したものであり、その両端部を物載置体１の上面に設けた凹部に着脱自在に嵌着し得るように設けられている。
【００２７】
符号11は取り外した柵体10を吊り下げ保持する吊り下げフックである。
【００２８】
また、物載置体１は、図１に図示したようにその周縁に平面視円弧状の凹所３が複数設けられており、物載置体１の４つの角部に夫々１つ、また、物載置体１の辺部、具体的には、長辺部に夫々２つ（左右長辺部の中央部に２箇所）に設けられている。
【００２９】
この各凹所３の上方部位若しくは下方部位には第一連結部４若しくは第二連結部５としての円筒部材が付設されており、この各円筒部材は凹所３の高さの約半分の厚みを有するものである。この各円筒部材に形成される孔は後述する連結体２を嵌入する第一連結孔４ａ若しくは第二連結孔５ａとして機能する。
【００３０】
この円筒部材のうち、物載置体１を長さ方向に二等分した際の一方の領域に設けられている各円筒部材は、凹所３（第一凹所３Ａ）の上方部位に物載置体１の周縁から一部が突出する状態で設けられ、他方の領域に設けられている各円筒部材は、凹所３（第二凹所３Ｂ）の下方部位に物載置体１の周縁から一部が突出する状態で設けられている。この凹所３（第一凹所３Ａ）の上方部位に設けられる円筒部材が第一連結部４であり、この凹所３（第二凹所３Ｂ）の下方部位に設けられる円筒部材が第二連結部５となる。
【００３１】
また、物載置体１の角部に設けられる円筒部材は、１／４部分が凹所３に収納され、残り３／４が凹所３から突出する。また、物載置体１の辺部に設けられる円筒部材は、１／２部分が凹所３に収納され、残りの１／２が凹所３から突出する。尚、角部に配される円筒部材は必ずしも辺部に設ける円筒部材と同一のものでなくても良いが、量産性の面を考慮すると同一のものが望ましい。
【００３２】
例えば２つの物載置体１を連結する場合において、一の物載置体１Ａの凹所３（第一凹所３Ａ）の上方部位にある円筒部材の下側に、他の物載置体１Ｂの凹所３（第二凹所３Ｂ）の下方部位にある円筒部材を配設し、両円筒部材を重合させる。
【００３３】
即ち、この各物載置体１に設けた第一連結部４及び第二連結部５は、一の物載置体１Ａの周縁と他の物載置体１Ｂの周縁とを隣接させた際、一の物載置体１Ａに設けた第一連結部４（若しくは第二連結部５）と、他の物載置体１Ｂに設けた第二連結部５（若しくは第一連結部４）とが上下位置に重合し得るように構成されている。
【００３４】
具体的には、この一の物載置体１Ａに設けた第一連結部４（若しくは第二連結部５）と他の物載置体１Ｂに設けた第二連結部５（若しくは第一連結部４）とは、一の物載置体１Ａの周縁と他の物載置体１Ｂの周縁とを隣接させた際、第一連結部４が設けられる凹所３（第一凹所３Ａ）に第二連結部５が嵌合するとともに、第二連結部５が設けられる凹所３（第二凹所３Ｂ）に第一連結部４が嵌合することになり、そして、第一連結部４と第二連結部５とが上下位置に重合するように構成されている。この際、第一連結部４に設けた第一連結孔４ａと第二連結部５に設けた第二連結孔５ａとは合致することになる。
【００３５】
つまり、１つの物載置体１には２種類の連結部（第一連結部４及び第二連結部５）があり、この２種類の連結部（第一連結部４及び第二連結部５）を他の物載置体１の２種類の連結部（第二連結部５及び第一連結部４）と重合させて連結体２により連結することになる。
【００３６】
この物載置体１に設けた各凹所３の凹み度合い、第一連結部４及び第二連結部５の物載置体１の周縁からの突出度合いは、第一連結部４と第二連結部５とを重合させた際、一の物載置体１Ａの周縁と他の物載置体１Ｂの周縁とが当接することを考慮して適宜設定されている。
【００３７】
従って、第一連結部４と第二連結部５とを重合させ、第一連結孔４ａ及び第二連結孔５ａが合致して形成される孔に後述する連結体２を嵌入することで一の物載置体１Ａと他の物載置体１Ｂとは隙間が生じることなく連結されることになる（図２，３参照）。
【００３８】
この連結体２は、図２，３に図示したように円柱部２ａと、該円柱部２ａの上部に連設されるリング部２ｂとで構成されるピン体である。
【００３９】
この円柱部２ａは、第一連結孔４ａ及び第二連結孔５ａが合致して形成される孔に嵌入し得る程度の径及び長さに設定され、リング部２ａは、円柱部２ａを第一連結孔４ａ及び第二連結孔５ａに嵌入させた際、第一連結孔４ａの開口縁に係止する大きさとなるように設定されている。
【００４０】
以上の構成から成る本実施例に係る一の物載置体１Ａと他の物載置体１Ｂとの連結例（医療現場で使用されることを想定した連結例）について説明する。
【００４１】
図４に図示したタイプは、一の物載置体１Ａにおける２つの第一連結部４と、他の物載置体１Ｂにおける２つの第二連結部５とを連結体２を介して連結した場合であり、例えば図５に図示したように柵体10にシート12を張り、このシート12を張ることでカテーテル13を浸漬する生理食塩水を貯めるプールを形成することができる。また、図６に図示したタイプは、一の物載置体１Ａにおける１つの第一連結部４及び１つの第二連結部５と、他の物載置体１Ｂにおける１つの第二連結部５及び１つの第一連結部４とを連結体２を介して連結した場合であり、この図６のタイプも図４のタイプのようにカテーテル13を浸漬する生理食塩水を貯めるプールを形成したり、広い面積を利用した大きな医療器具を載置する台とすることができる。
【００４２】
また、図７に図示したタイプは、一の物載置体１における２つの第一連結部４と、他の物載置体１における２つの第二連結部５とを連結体２を介して連結して平面視Ｌ字状とした場合であり、例えばベッド14の脇に囲むようにして配置して手術や検査の際の医療器具を載置する部位として使用すると非常に有用である。物載置体１から外した不要とされる柵体10は吊り下げフック11に吊り下げ保持される。
【００４３】
本実施例は上述のように構成したから、この物載置体１は、単体で使用することができるのは勿論、この複数の物載置体１同志を連結することで使用目的に合わせた大きさの物を載置する部位を簡易且つ確実に形成することができ、しかも、この一の物載置体１Ａの周縁に設けられる第一連結部４及び他の物載置体１Ｂの周縁に設けられる第二連結部５夫々を設ける位置を適宜設定することで、例えば物載置体１同志を縦方向に長くなるように連結したり、平面方向から見てＬ型となるように連結したりすることができるなど、例えば医療現場で行われる各種医療行為に対応した良好な状態が得られ、非常に便利で使い勝手が良いものとなる。
【００４４】
また、本実施例は、単に複数の物載置体１夫々の周縁に突出したもの同志を重合させるのではなく、一方から突出される連結体を嵌合する凹所３を他方に設ける構成としたから、第一連結部４と第二連結部５を重合させた際、一の物載置体１Ａの周縁と他の物載置体１Ｂの周縁とを当接させることができることになり、よって、連結させた物載置体１同志の間に隙間が生じることはなく、物を載置するものとしてより一層良好なものが得られることになる。
【００４５】
尚、本発明は、本実施例に限られるものではなく、各構成要件の具体的構成は適宜設計し得るものである。
【図面の簡単な説明】
【００４６】
【図１】本実施例を示す斜視図である。
【図２】本実施例に係る要部を説明する斜視図である。
【図３】本実施例に係る要部を説明する斜視図である。
【図４】本実施例に係る物載置体の連結状態を説明する斜視図である。
【図５】本実施例の使用状態説明図である。
【図６】本実施例に係る物載置体の連結状態を説明する斜視図である。
【図７】本実施例の使用状態説明図である。
【符号の説明】
【００４７】
１  物載置体
１Ａ  一の物載置体
１Ｂ  他の物載置体
２  連結体
３  凹所
３Ａ  第一凹所
３Ｂ  第二凹所
４  第一連結部
４ａ  第一連結孔
５  第二連結部
５ａ  第二連結孔
【図１】
2005287828.tif 000003
【図２】
2005287828.tif 000004
【図３】
2005287828.tif 000005
【図４】
2005287828.tif 000006
【図５】
2005287828.tif 000007
【図６】
2005287828.tif 000008
【図７】
2005287828.tif 000009